(57)【特許請求の範囲】
【請求項１】
かご出入口を開閉するかごドアパネル、
前記かご出入口の下部に設けられ、前記かごドアパネルの開閉方向に沿って設けられた第１及び第２の敷居溝を有するかご敷居、
前記かごドアパネルの下部に設けられ、前記第１の敷居溝に挿入される戸の脚、
前記第１の敷居溝の側面に接するように前記かごドアパネルの下部に設けられ、前記かごドアパネルの開閉動作時に前記第１の敷居溝の側面に沿って摺動される弾性体製の第１のシール部材、及び
前記第２の敷居溝の側面に接するように前記かごドアパネルの下部に設けられ、前記かごドアパネルの開閉動作時に前記第２の敷居溝の側面に沿って摺動される弾性体製の第２のシール部材
を備え、
前記第１のシール部材が接する側面は、前記第１の敷居溝のかご室側及び乗場側のいずれか一方の側面であり、
前記第２のシール部材が接する側面は、前記第２の敷居溝のかご室側及び乗場側の他方の側面であるエレベータのかごドア装置。
【請求項２】
前記かごドアパネルの下部に設けられ、前記第２の敷居溝に挿入される遮音板をさらに備えている請求項１記載のエレベータのかごドア装置。
【請求項３】
前記第１のシール部材は、前記戸の脚が取り付けられている部分を除く前記かごドアパネルの幅方向の全体に設けられており、
前記第２のシール部材及び遮音板は、前記かごドアパネルの幅方向の全体に設けられている請求項２記載のエレベータのかごドア装置。
【発明の詳細な説明】
【技術分野】
【０００１】
この発明は、例えば高層ビルに設置される超高速エレベータなど、かごの遮音性が求められるエレベータのかごドア装置に関するものである。
【背景技術】
【０００２】
高層ビルに設置されるエレベータでは、かごの昇降速度が毎分数百メートルに達し、走行中のかごの周囲で発生する風切り音が非常に大きくなる。このため、風切り音の発生を極力防いだり、発生した風切り音がかご室内に流入するのを抑制したりするための手段が講じられている。【０００３】
風切り音の発生を抑制するためには、例えば、かご室の形状を凹凸の少ない形状にしたり、かご室の上下に流線形のカバーを設置したりして、気流を滑らかにする方法がある。また、従来のエレベータでは、風切り音のかご室内への流入を抑制するため、かご出入口の上下とドアパネルの上下とに密着部材が設けられており、ドアパネルが閉じたとき、密着部材同士が密着して、かごドア周りの隙間が塞がれる（例えば、特許文献１参照）。【０００４】
さらに、従来の他のエレベータでは、上下方向に変位する閉塞装置がかごドアに設けられており、かごドアの全閉時に、かごドアとかご敷居との間の隙間が閉塞装置により塞がれる（例えば、特許文献２参照）。
【先行技術文献】
【特許文献】
【０００５】
【特許文献１】特開平１０−１２０３４９号公報
【特許文献２】特開２００３−３０６２８６号公報
【発明の概要】
【発明が解決しようとする課題】
【０００６】
特許文献１に示されたような従来のエレベータでは、戸閉時にかご出入口の上下で密着部材が同時に当接する必要があり、非常に高度な工作性や据付性が要求される。また、非常に大きな戸閉力によって戸閉しなければ、かご出入口の上下で密着部材同士を密着させることが困難となるため、ドアモータの負荷が大きくなる。【０００７】
さらに、かごドアを吊り下げるドアレール及びかごドアを開閉する駆動装置は、かご枠の上部に取り付けられているが、かご室は防振ゴムを介してかご枠の下部上に支持されているため、かご室に大勢の乗客が乗り込んだ際には、かご室がかご枠に対して２〜３ｍｍ程度沈み込む場合がある。これによって、かごドアとかご敷居との間の隙間が広がることになり、かごドアの下部に設けたシール部材がかご敷居に接触しなくなる恐れがある。【０００８】
この解決手段として特許文献２に示すような閉塞装置があるが、構成が複雑であり、かごドアの重量アップが懸念される。また、万一、停電等により乗客がかご室に閉じ込められた場合、閉塞装置からかご敷居に向かって押圧力が発生しているため、手動でかごドアを開く際に大きな抵抗が生じる。【０００９】
さらに、急激な気圧変動による耳の閉塞感を緩和させるための気圧制御装置を搭載したエレベータにおいては、かごの走行中に加減圧を行うため、かご室の内外で１０００Ｐａ相当の気圧差が生じる。これにより、例えばかご出入口が２平方メートルの場合、かごドアは２０００Ｎの力を受けることになる。また、加圧か減圧かによって力を受ける方向が異なるため、かごドアには前後両方向への微小変動が生じる。【００１０】
従って、超高速エレベータ等の高い遮音性能が要求されるエレベータにおいては、かご枠に対するかご室の上下方向への変位や、気圧制御装置によるかごドアの前後方向への変位に対しても、かごドアの下部とかご敷居との間の隙間を閉塞状態を維持し、かつ、手動でかごドアを開く際に大きな抵抗が生じないようにすることが求められる。【００１１】
この発明は、上記のような課題を解決するためになされたものであり、簡単な構成により、かご枠に対するかご室の上下方向への変位やかごドアパネルの前後方向への変位に対して、高い遮音性能を維持することができ、ドアモータの負荷の増大を抑制することができ、手動でかごドアを開く際に大きな抵抗が生じないようにすることができるエレベータのかごドア装置を得ることを目的とする。
【課題を解決するための手段】
【００１２】
この発明に係るエレベータのかごドア装置は、かご出入口を開閉するかごドアパネル、かご出入口の下部に設けられ、かごドアパネルの開閉方向に沿って設けられた第１及び第２の敷居溝を有するかご敷居、かごドアパネルの下部に設けられ、第１の敷居溝に挿入される戸の脚、第１の敷居溝の側面に接するようにかごドアパネルの下部に設けられ、かごドアパネルの開閉動作時に第１の敷居溝の側面に沿って摺動される弾性体製の第１のシール部材、及び第２の敷居溝の側面に接するようにかごドアパネルの下部に設けられ、かごドアパネルの開閉動作時に第２の敷居溝の側面に沿って摺動される弾性体製の第２のシール部材を備えている。
【発明の効果】
【００１３】
この発明のエレベータのかごドア装置は、戸の脚が挿入される第１の敷居溝に加えて第２の敷居溝をかご敷居に設け、第１の敷居溝の側面に接する第１のシール部材と第２の敷居溝の側面に接する第２のシール部材とをかごドアパネルの下部に設けたので、簡単な構成により、かご枠に対するかご室の上下方向への変位は第１及び第２のシール部材の上下方向への摺動により吸収し、かごドアパネルの前後方向への変位は第１及び第２のシール部材の弾性変形により吸収することができ、これにより高い遮音性能を維持することができる。また、第１及び第２のシール部材は、かごドアパネルの開閉動作時に第１及び第２の敷居溝の側面に沿って摺動されるので、大きな戸閉力は必要なく、ドアモータの負荷の増大を抑制することができ、さらに、手動でかごドアを開く際に大きな抵抗が生じさせない。
【図面の簡単な説明】
【００１４】
【図１】この発明の実施の形態１によるエレベータのかごドア装置を示す正面図である。
【図２】図１のＩＩ−ＩＩ線に沿う断面図である。
【発明を実施するための形態】
【００１５】
以下、この発明を実施するための形態について、図面を参照して説明する。
実施の形態１．
図１はこの発明の実施の形態１によるエレベータのかごドア装置を示す正面図である。図において、かご１（２点鎖線で示す）の正面には、かご出入口１ａが設けられている。かご出入口１ａは、一対のかごドア２により開閉される。各かごドア２は、かごドアパネル３と、かごドアパネル３の上部に接続されたドアハンガ４とを有している。各ドアハンガ４には、一対のハンガローラ５が設けられている。
【００１６】
かご１のかご出入口１ａの上部には、ドアレール６が固定されている。ドアパネル３は、ドアハンガ４を介してドアレール６から吊り下げられている。かごドア２の開閉時には、ハンガローラ５がドアレール６上を転動される。
【００１７】
かご１の上部には、かごドア２を開閉させるドアモータ７が搭載されている。ドアモータ７の駆動力は、減速機構８及びリンク機構９を介してかごドアパネル３に伝達される。左右のかごドア２は、リンク機構９により連動して同時に反対方向へ開閉動作される。また、乗場ドア（図示せず）は、かごドア２に係合することによりかごドア２とともに開閉動作される。
【００１８】
かご出入口１ａの下部（床部）には、かごドア２の開閉動作時にかごドアパネル３の下端部の移動を案内するかご敷居１０が固定されている。
【００１９】
図２は図１のＩＩ−ＩＩ線に沿う断面図であり、かごドアパネル３の下端部の縦断面を示している。また、図２において、かごドアパネル３の右側がかご室側、左側が乗場側である。かご敷居１０には、かごドアパネル３の開閉方向に沿って設けられた第１及び第２の敷居溝１１，１２が互いに間隔をおいて設けられている。第２の敷居溝１２は、第１の敷居溝１１の乗場側に配置されている。
【００２０】
第１の敷居溝１１は、第１のかご室側側面１１ａと、第１の乗場側側面１１ｂと、第１の底面１１ｃとを有している。第２の敷居溝１２は、第２のかご室側側面１２ａと、第２の乗場側側面１２ｂと、第２の底面１２ｃとを有している。第２の敷居溝１２の深さは、第１の敷居溝１１の深さと同様である。また、第１及び第２の敷居溝１１，１２は、かごドアパネル３の厚さの範囲内でかごドアパネル３の真下に配置されている。
【００２１】
かごドアパネル３の内側には、複数の吸音部材１３ａ〜１３ｄが固定されている。
【００２２】
かごドアパネル３の下部には、下部補強部材１４が固定されている。下部補強部材１４は、かごドアパネル３の幅方向（図１の左右方向）の全体に渡って設けられている。また、下部補強部材１４は、かごドアパネル３の裏面に接着又は溶接された接合部１４ａと、かごドアパネル３の下端部の裏面に対向する脚取付部１４ｂとを有している。接合部１４ａ及び脚取付部１４ｂは、平板を折り曲げることにより形成されている。
【００２３】
脚取付部１４ｂには、複数の戸の脚１５がかごドアパネル３の幅方向に互いに間隔をおいてねじ止めされている。戸の脚１５は、第１の敷居溝１１に挿入されている。かごドアパネル３の開閉動作時には、戸の脚１５は第１の敷居溝１１内を移動される。これにより、かごドアパネル３の開閉動作時のガタつき等が抑制される。
【００２４】
脚取付部１４ｂには、第１の押さえ金具１６を介して、複数の第１のシール部材１７が取り付けられている。第１の押さえ金具１６は、脚取付部１４ｂにねじ止めされている。第１のシール部材１７の上端部は、第１の押さえ金具１６と脚取付部１４ｂとの間に挟持されている。第１のシール部材１７は、戸の脚１５が取り付けられている部分を除くかごドアパネル３の幅方向の全体に設けられている。
【００２５】
また、第１のシール部材１７は、ゴム等の弾性体により構成されており、その下端部は第１のかご室側側面１１ａに接触して微小に弾性変形されている。これにより、第１のシール部材１７は、かごドアパネル３の開閉動作時に第１のかご室側側面１１ａに沿って摺動される。
【００２６】
下部補強部材１４の接合部１４ａの裏面には、断面Ｌ字形の固定部材１８が接着又は溶接により固定されている。固定部材１８は、水平部１８ａを有している。水平部１８ａには、ビス１９により取付金具２０が取り付けられている。ビス１９は、取付金具２０の上面側から鉛直に締め込まれている。
【００２７】
取付金具２０には、遮音板２１及び第２の押さえ金具２２がねじ止めされている。遮音板２１の下端部は、第２の敷居溝１２内に挿入されている。また、遮音板２１は、鉄鋼製であり、かごドアパネル３の幅方向の全体に渡って連続して設けられている。
【００２８】
第２の押さえ金具２２と遮音板２１との間には、第２のシール部材２３が挟持されている。第２のシール部材２３は、かごドアパネル３の幅方向の全体に渡って連続して設けられている。
【００２９】
また、第２のシール部材２３は、ゴム等の弾性体により構成されており、その下端部は第２の乗場側側面１２ｂに接触して微小に弾性変形されている。これにより、第２のシール部材２３は、かごドアパネル３の開閉動作時に第２の乗場側側面１２ｂに沿って摺動される。
【００３０】
下部補強部材１４には、取付金具２０や第２の押さえ金具２２に対向する裏板（カバー）２４が取り付けられている。裏板２４は、かごドアパネル３の幅方向の全体に渡って連続して設けられており、複数のビス２５により下部補強部材１４の上端部近傍に取り付けられている。
【００３１】
このようなかごドア装置では、戸の脚１５が挿入される第１の敷居溝１１に加えて第２の敷居溝１２をかご敷居１０に設け、第１のかご室側側面１１ａに接する第１のシール部材１７と第２の乗場側側面１２ｂに接する第２のシール部材２３とをかごドアパネル３の下部に設けたので、簡単な構成により、かご枠に対するかご室の上下方向への変位は第１及び第２のシール部材１７，２３の上下方向への摺動により吸収し、かごドアパネル３の前後方向（図２の左右方向）への変位は第１及び第２のシール部材１７，２３の弾性変形により吸収することができ、これにより高い遮音性能を維持することができる。
【００３２】
また、第１及び第２のシール部材１７，２３は、かごドアパネルの開閉動作時に第１及び第２の敷居溝１１，１２の側面１１ａ，１２ｂに沿って摺動されるので、大きな戸閉力は必要なく、ドアモータ７の負荷の増大を抑制することができ、さらに、手動でかごドア２を開く際に大きな抵抗が生じさせない。
【００３３】
さらに、第１のシール部材１７が接するのは第１のかご室側側面１１ａであり、第２のシール部材２３が接するのは第２の乗場側側面１２ｂであるため、気圧制御装置（図示せず）によってかご室が加圧又は減圧された際のかごドア２の前後方向への変位に対して、第１及び第２のシール部材１７，２３の少なくとも一方はかご敷居１０に接触した状態を維持することができ、高い遮音性能を維持することができる。
【００３４】
さらにまた、第２の敷居溝１２に挿入される遮音板２１を用いたので、遮音性をさらに向上させることができる。
また、第１のシール部材１７は、戸の脚１５が取り付けられている部分を除くかごドアパネル３の幅方向の全体に設けられており、第２のシール部材２３及び遮音板２１は、かごドアパネル３の幅方向の全体に設けられているので、戸の脚１５と第１のシール部材１７との干渉を避けつつ、遮音性をさらに向上させることができる。
【００３５】
さらに、かごドア２の開閉動作の繰り返しにより、第１及び第２のシール部材１７，２３が磨耗した際は、ビス２５を外して裏板２４を取り外すことにより、第２の押さえ金具２２を固定しているねじを露出させることができ、第２のシール部材２３を容易に交換することができる。また、この状態から、ビス１９を外して取付金具２０を取り外すことにより、第１の押さえ金具１６を固定しているねじを露出させることができ、第１のシール部材１７も容易に交換することができる。
【００３６】
なお、第１のシール部材１７は、戸の脚１５と干渉しないように構成すれば、かごドアパネル３の幅方向の全体に連続して設けてもよい。
また、第１の押さえ金具１６、第１のシール部材１７、第２の押さえ金具２２、第２のシール部材２３及び遮音板２１等は、かごドアパネル３の幅方向に適宜分割してもよい。
【００３７】
さらに、上記の例では、第１のシール部材１７が第１のかご室側側面１１ａに接し、第２のシール部材２３が第２の乗場側側面１２ｂに接しているが、第１のシール部材１７が第１の乗場側側面１１ｂに接し、第２のシール部材２３が第２のかご室側側面１１ａに接するようにしてもよい。
さらにまた、第１のシール部材１７を２つ用い、又は第１のシール部材１７の下端部を２方向へ分岐させ、第１のシール部材１７が第１のかご室側側面１１ａと第１の乗場側側面１１ｂとの両方に接するようにしてもよい。同様にして、第２のシール部材２３が第２のかご室側側面１２ａと第２の乗場側側面１２ｂとの両方に接するようにしてもよい。
【００３８】
また、上記の例では、かご室側の敷居溝１１に戸の脚１５を挿入し、乗場側の敷居溝１２に遮音板２１を挿入したが、逆であってもよい。即ち、乗場側を第１の敷居溝１１とし、かご室側を第２の敷居溝１２としてもよい。
さらに、上記の例では、２枚戸中央開き式のかごドア装置を示したが、かごドア装置のタイプはこれに限定されるものではない。
さらにまた、この発明のかごドア装置を適用するエレベータは、超高速エレベータに限定されるものではなく、通常のエレベータに適用しても遮音性を高めることができる。
【図１】
0005523554.tif 000002
【図２】
0005523554.tif 000003